(57)【要約】【課題】  複数種類のインデックスが付与された映像コンテンツから、所望のシーンのインデックスを容易に特定することができる映像コンテンツ再生装置、映像コンテンツ再生システム、および映像コンテンツ再生方法を提供すること。【解決手段】  映像コンテンツを取得して再生する再生制御部１２１と、再生されている映像コンテンツのインデックス情報種別を取得して表示装置４０に表示する情報を生成するＧＵＩ生成部１２２と、インデックス情報種別の切り替え指示が入力されると、表示されている映像コンテンツのインデックス情報種別を切り替える一方、シーク指示が入力されると、再生されている映像コンテンツにおいて選択されているインデックス情報種別のインデックスに基づいて映像コンテンツをシークするシーク制御部１２３とを有する。【選択図】  図１
2008301070.tif 000002
【特許請求の範囲】
【請求項１】
複数のインデックス情報種別が設定されていると共に、前記インデックス情報種別毎に１または複数のインデックスが設定されている映像コンテンツを再生する映像コンテンツ再生装置であって、
前記映像コンテンツを表示装置に再生させる再生制御部と、
再生されている前記映像コンテンツの前記インデックス情報種別を取得して、前記表示装置に表示する情報を生成するＧＵＩ生成部と、
前記インデックス情報種別の切り替え指示が入力されると、表示されている前記映像コンテンツの前記インデックス情報種別を切り替えさせる一方、シーク指示が入力されると、再生されている前記映像コンテンツにおいて選択されている前記インデックス情報種別のインデックスに基づいて前記映像コンテンツをシークさせるシーク制御部と、
を有する映像コンテンツ再生装置。
【請求項２】
請求項１記載の映像コンテンツ再生装置において、さらに、
前記インデックス情報種別の切り替え指示をユーザによる上下ボタンの押下により出力する一方、前記シーク指示をユーザによる左右ボタンの押下により出力するリモートコントローラ、
を有する映像コンテンツ再生装置。
【請求項３】
複数のインデックス情報種別が設定されていると共に、前記インデックス情報種別毎に１または複数のインデックスが設定されている映像コンテンツを再生する際の映像コンテンツ再生方法であって、
映像コンテンツ再生装置に、
前記映像コンテンツを表示装置に再生させるステップと、
再生されている前記映像コンテンツの前記インデックス情報種別を取得して、前記表示装置に表示する情報を生成するステップと、
前記インデックス情報種別の切り替え指示が入力されると、表示されている前記映像コンテンツの前記インデックス情報種別を切り替えさせる一方、シーク指示が入力されると、再生されている前記映像コンテンツにおいて選択されている前記インデックス情報種別のインデックスに基づいて前記映像コンテンツをシークさせるステップと、
を有する映像コンテンツ再生方法。
【発明の詳細な説明】
【技術分野】
【０００１】
本発明は、記録媒体に記録された映像コンテンツを再生する映像コンテンツ再生装置および映像コンテンツ再生方法に関する。
【背景技術】
【０００２】
近年、ハードディスクドライブ（ＨＤＤ）等の記録媒体の大容量化により、個人ユーザが大量のコンテンツを録画することが可能になってきている。
【０００３】
このような大容量記録媒体ではランダムアクセスが可能であるため、ユーザは録画された大量の映像コンテンツの所望のシーンのみを視聴して、不要な映像コンテンツは消去する、という視聴形態が容易に実現できるようになっている。
【０００４】
映像コンテンツの中から所望のシーンのみを再生させるための技術として、特許文献１に記載されているような、映像の内容に従ってインデックスを付与する技術がある。
【０００５】
特許文献１のようなインデックスを付与することにより、ユーザは所望のシーンを特定して再生させる操作が容易になる。
【特許文献１】特開２００４−１５７７８６号公報
【発明の開示】
【発明が解決しようとする課題】
【０００６】
しかし上記の技術では、付与されたインデックスがどのようなシーンに対するものかというインデックスの種類までは判別することができず、様々な種類のインデックスが多数付与されているときには、視聴したいシーンに対するインデックスを探すためにはやはり手間がかかるという問題があった。
【０００７】
よって本発明は、複数種類のインデックスが付与された映像コンテンツから、所望のシーンのインデックスを容易に特定することができる映像コンテンツ再生装置および映像コンテンツ再生方法を提供することを目的とする。
【課題を解決するための手段】
【０００８】
上記目的を達成するための本発明の映像コンテンツ再生装置（１０−１、１０−２、１０−３）は、複数のインデックス情報種別が設定されていると共に、前記インデックス情報種別毎に１または複数のインデックスが設定されている映像コンテンツを再生するものであり、前記映像コンテンツを外部の表示装置（４０）に再生させる再生制御部（１２１）と、再生されている前記映像コンテンツの前記インデックス情報種別を取得して、前記表示装置（４０）に表示する情報を生成するＧＵＩ生成部（１２２）と、前記インデックス情報種別の切り替え指示が入力されると、表示されている前記映像コンテンツの前記インデックス情報種別を切り替えさせる一方、シーク指示が入力されると、再生されている前記映像コンテンツにおいて選択されている前記インデックス情報種別のインデックスに基づいて前記映像コンテンツをシークさせるシーク制御部（１２３）とを有する。
【０００９】
また、この映像コンテンツ再生装置（１０−１、１０−２、１０−３）において、さらに、前記インデックス情報種別の切り替え指示をユーザによる上下ボタンの押下により出力する一方、前記シーク指示をユーザによる左右ボタンの押下により出力するリモートコントローラ（３０）を有するようにしてもよい。
【００１０】
また、本発明の映像コンテンツ再生方法は、複数のインデックス情報種別が設定されていると共に、前記インデックス情報種別毎に１または複数のインデックスが設定されている映像コンテンツを再生する際の映像コンテンツ再生方法であって、映像コンテンツ再生装置（１０−１、１０−２、１０−３）に、前記映像コンテンツを外部の表示装置（４０）に再生するステップ（Ｓ２）と、再生されている前記映像コンテンツの前記インデックス情報種別を取得して、前記表示装置（４０）に表示する情報を生成するステップ（Ｓ６）と、前記インデックス情報種別の切り替え指示が入力されると、表示されている前記映像コンテンツの前記インデックス情報種別を切り替えさせる（Ｓ８）一方、シーク指示が入力されると、再生されている前記映像コンテンツにおいて選択されている前記インデックス情報種別のインデックスに基づいて前記映像コンテンツをシークさせるステップ（Ｓ１０）とを有する。
【発明の効果】
【００１１】
本発明の映像コンテンツ再生装置および映像コンテンツ再生方法によれば、複数種類のインデックスが付与された映像コンテンツから、所望のインデックスを容易に特定して再生開始位置とすることができる。
【発明を実施するための最良の形態】
【００１２】
《第１実施形態》
本発明の第１実施形態においては、ＤＶＤ（Digital Versatile Disc）やＢＤ（Blu-ray Disc）などの外部の光ディスクに記録された映像コンテンツに予め種類別のインデックスが付与された状態で、このインデックスを利用して記録された映像コンテンツの所望のシーンを検索し、再生する映像コンテンツ再生装置を用いた映像コンテンツ再生システムについて説明する。
【００１３】
〈第１実施形態による映像コンテンツ記録再生システムの構成〉
本実施形態による映像コンテンツ記録再生システムの構成を、図１を参照して説明する。
【００１４】
本実施形態による映像コンテンツ記録再生システム１は、映像コンテンツ再生装置１０−１と、光ディスクドライブ２０と、ユーザにより操作されるリモートコントローラ３０と、表示装置４０とを有する。
【００１５】
映像コンテンツ再生装置１０−１は、リモートコントローラ受光部１１と、ＣＰＵ１２−１と、出力制御部１３とを有する。
【００１６】
リモートコントローラ受光部１１は、リモートコントローラ３０から送信される信号を受信して、ＣＰＵ１２−１を制御する制御信号に変換する。
【００１７】
ＣＰＵ１２−１は、再生指示による再生処理を制御する再生制御部１２１と、インデックスを利用して映像コンテンツの再生位置を操作するためのインデックス操作画面を生成するＧＵＩ生成部１２２と、表示させるインデックス操作画面のインデックス情報種別を切り替えさせる切替処理を行うとともに表示されたインデックスに基づいて映像コンテンツの再生位置をシークさせるシーク処理を行うシーク制御部１２３とを有する。
【００１８】
光ディスクドライブ２０は、挿入された再生対象の光ディスク２１に記録された情報を読み出すものである。光ディスク２１は、録画した映像ストリームを記録する映像記録エリア２１１と、この映像ストリームに付与されたインデックスに関する情報を記録するインデックス情報記録エリア２１２とを有する。
【００１９】
インデックス情報記録エリア２１２は、インデックス情報が格納されたインデックス情報テーブル２１２ａと、インデックス情報テーブル２１２ａ内のインデックス情報から後述するインデックス操作画面を生成するために利用されるインデックス情報マネジャ２１２ｂとから構成される。
【００２０】
インデックス情報テーブル２１２ａの構成を、図２に示す。
【００２１】
インデックス情報テーブル２１２ａは、予め設定されたｎ個の種別ごとにインデックス情報を記録するためのインデックス情報領域#1〜#nからなる。
【００２２】
各インデックス情報領域は、該当する種別のインデックスの総数（m個）を示すインデックス総数と、これらのm個のインデックスごとに設けられたインデックス領域とからなる。図２では、インデックス情報領域#2を構成するインデックス総数#2およびｍ個のインデックス#2-1〜#2-mが示されている。
【００２３】
各インデックス#2-1〜#2-mには、当該インデックスが幅を持った区間の開始点（In点）であるか、終了点（Out点）であるか、あるいは映像中の１点であるのかを示すインデックスタイプと、アドレスデータや時刻データにより各インデックスが指す映像ストリーム中の位置を示すインデックスポジションとが記録されている。図２では、インデックス情報領域#2の中のインデックス#2-1に記録されたインデックスタイプおよびインデックスポジションが示されている。
【００２４】
インデックス情報マネジャ２１２ｂの構成を、図３に示す。
【００２５】
インデックス情報マネジャ２１２ｂは、インデックス情報領域の総数を示すインデックス情報領域総数と、インデックス情報領域ごとに設けられたｎ個のインデックス情報サーチポインタ領域#1〜#nとからなる。
【００２６】
インデックス情報サーチポインタ領域#1〜#nにはそれぞれインデックス情報#1〜#nの種別を示すインデックス情報種別と、該当する種別のインデックス情報領域が記録されている光ディスク２１上のアドレスを示すポインタであるインデックス情報ポジションとが記録されている。
【００２７】
インデックス情報種別には、スポーツ番組のハイライトシーンの開始位置および終了位置等に付与されたインデックスを示す「SPORTS」、ＣＭの開始位置および終了位置に付与されたインデックスを示す「CM」、音楽番組の演奏区間の開始位置および終了位置等に付与されたインデックスを示す「MUSIC」、ユーザにより手動で付与されたインデックスを示す「USER」などがある。
【００２８】
図３のインデックス情報テーブル２１２ｂにおいては、インデックス情報サーチポインタ領域#2に該当するインデックス情報種別として「CM」が設定されているものとする。
【００２９】
以上のように、インデックスに関する情報が構成され、インデックス情報記録エリア２１２に記録される。
【００３０】
〈第１実施形態による映像コンテンツ記録再生システムの動作〉
本実施形態における、映像コンテンツ記録再生システム１の動作について説明する。
【００３１】
本実施形態においては、光ディスクドライブ２０に挿入された光ディスク２１の映像記録エリア２１１には予め１または複数の映像コンテンツが記録され、また、光ディスク２１のインデックス情報記録エリア２１２には映像記録エリア２１１に記録されているそれぞれの映像コンテンツに対応したインデックスに関する情報が記録されているものとする。
【００３２】
この光ディスク２１に記録された映像コンテンツデータを再生するときの映像コンテンツ再生装置１０−１の動作について、図４のフローチャートを参照して説明する。
【００３３】
ユーザによりリモートコントローラ３０が操作され、光ディスク２１に記録された中から所望の映像コンテンツの再生を指示する再生指示コマンドが送信されると、この再生指示コマンドがリモートコントローラ受光部１１で受信され、ＣＰＵの再生制御部１２１に送出される（Ｓ１）。
【００３４】
再生制御部１２１では、再生指示コマンドが取得されると、再生対象の映像コンテンツデータの再生開始位置および再生速度が決定される。
【００３５】
再生制御部１２１で再生対象の映像コンテンツデータの再生開始位置および再生速度が決定されると、この再生開始位置からの再生対象の映像コンテンツデータが光ディスク２１の映像記録エリア２１１から読み出され、デコードされる。
【００３６】
デコードされた映像コンテンツデータは出力制御部１３において表示信号に変換され、外部の表示装置４０に出力され表示されることで再生処理が行われる（Ｓ２）。
【００３７】
表示装置４０に映像コンテンツデータが再生されている状態で、ユーザによりリモートコントローラ３０が操作され、インデックス操作画面を表示させるためのインデックス操作画面表示指示コマンドが送信されると、このインデックス操作画面表示指示コマンドがリモートコントローラ受光部１１で受信され、ＣＰＵのＧＵＩ生成部１２２に送出される（Ｓ３の「YES」）。
【００３８】
ＧＵＩ生成部１２２では、インデックス操作画面表示指示コマンドが取得されると、光ディスク２１のインデックス情報記録エリア２１２からインデックスに関する情報が取得されるとともに再生制御部１２１で現在読み出されているデータの映像コンテンツデータ内における位置が現在再生位置情報として取得される（Ｓ４）。
【００３９】
これらのインデックスに関する情報および現在再生位置情報が取得されると、図５に示すような、ユーザが所望のインデックス情報種別を選択するためのインデックス種別選択部２３０、およびインデックス種別選択部２３０で選択されたインデックス情報種別に該当するインデックスを時間軸情報上に表示するシークバー２３１で構成されるインデックス操作画面が生成される（Ｓ５）。
【００４０】
図５に示すインデックス操作画面が生成されるときのＧＵＩ生成部１２２の処理について説明する。
【００４１】
まず、インデックス操作画面表示指示コマンドが取得されると、光ディスク２１のインデックス情報記録エリア２１２から再生中の映像コンテンツに関するインデックス情報マネジャ２１２ｂが読み出される。
【００４２】
次に、インデックス情報マネジャ２１２ｂ内のデフォルトで選択されているインデックス情報サーチポインタ領域内のインデックス情報種別が取得されて、インデックス種別選択部２３０が生成される。
【００４３】
図５においては、デフォルトで選択されているインデックス情報サーチポインタ領域#2のインデックス情報種別である「CM」が取得されるとともに、このインデックス情報サーチポインタ情報#2の前後のインデックス情報サーチポインタ領域#1および#3のインデックス種別である「SPORTS」および「MUSIC」が取得され、選択されるインデックス情報種別を変更する操作に用いられるインデックス種別選択部２３０が生成され表示されている。
【００４４】
このインデックス種別選択部２３０の表示は、後述するように、上矢印２３２または下矢印２３３が操作されることにより、表示されるインデックス情報種別の文字列が変更され、この操作で中央の文字列が変更されることにより後述するようにシークバー２３１に表示させるインデックスが変更される。
【００４５】
次に、この選択されているインデックス情報種別「CM」に対応するインデックス情報ポジションに基づいて、インデックス情報テーブル２１２ａのインデックス情報領域#2に記録されている各インデックス#2-1〜#2-mのインデックスポジションが取得されるとともに、再生制御部１２１から現在再生位置情報が取得され、これらの情報が利用されて再生位置をスキップさせる操作に用いられるシークバー２３１が生成される。
【００４６】
このシークバー２３１は、横幅が再生中の映像コンテンツの再生時間に対応した時間軸情報で構成され、取得されたインデックスポジションに基づいて、インデックス#2-1〜#2-mの映像コンテンツ内における相対的な位置がこの時間軸情報上に表示される。
【００４７】
また、取得された現在再生位置情報に基づいて、現在位置がこの時間軸情報上に表示される。この現在位置情報は所定間隔で再生制御部１２１から取得され、時間軸情報上の表示が更新される。
【００４８】
図５においてシークバー２３１には、インデックス種別選択部２３０で選択されているインデックス情報種別である「CM」に対応する各ＣＭインデックス２３４−１〜２３４−６の映像コンテンツ内における相対的な位置、および現在再生中の映像コンテンツ内における相対的な現在再生位置２３５が表示されている。
【００４９】
ここでは、現在再生位置２３５はＣＭインデックス２３４−２とＣＭインデックス２３４−３との間であるものとする。
【００５０】
このシークバー２３１において、後述するように、左矢印２３６または右矢印２３７が操作されることにより、現在再生位置２３５に最も近い位置に表示されている左または右のインデックスに現在再生位置２３５が移動され、移動された位置に対応する映像コンテンツ内の位置に再生位置が変更される。
【００５１】
図５のインデックス操作画面は、生成されたインデックス種別選択部２３０が表示画面の左下に表示され、また、シークバー２３１が画面の中央下から右下に表示されるように生成されている。
【００５２】
ステップＳ５で生成されたインデックス操作画面は、ステップＳ２の再生処理でデコードされた再生対象の映像コンテンツデータに出力制御部１３においてオーバーレイされ、表示信号に変換されて出力されて外部の表示装置４０に表示される（Ｓ６）。
【００５３】
映像コンテンツデータとインデックス操作画面とが表示装置４０に表示されている状態で、ユーザによりリモートコントローラ３０が操作され、インデックス操作画面のインデックス種別選択部２３０の上矢印２３２または下矢印２３３が操作されることによりインデックス種別選択部２３０に表示させるインデックス情報種別を切り替えるための切り替え指示コマンドが入力されると、この切り替え指示コマンドがリモートコントローラ受光部１１で受信され、ＣＰＵのシーク制御部１２３に送出される（Ｓ７の「YES」）。
【００５４】
この上矢印２３２および下矢印２３３の操作は、ユーザが操作する図６に示すようなリモートコントローラ３０の十字キーの上方向ボタン３０１および下方向ボタン３０２に割り当てられており、これらのボタンが押下されることによりインデックス種別選択部２３０に表示されるインデックス情報種別が回転するように変更される。
【００５５】
リモートコントローラ３０の十字キーが操作され切り替え指示コマンドが取得されたときのシーク制御部１２３の動作について説明する。ここで、nはインデックス情報種別の総数であり、iは現在選択しているインデックス情報種別（1〜n）を識別する情報であり、mは現在選択しているインデックス情報種別に該当するインデックスの総数であり、tは現在再生している映像コンテンツ中の時刻情報である。
【００５６】
リモートコントローラ３０の上方向ボタン３０１が押下されると、この上方向ボタン３０１が押下されたことを示す上方向ボタン押下コマンドが発信され、リモートコントローラ受光部１１を介してシーク制御部１２３で取得される。
【００５７】
シーク制御部１２３では、上方向ボタン押下コマンドが受信されると、現在選択しているインデックス情報種別を、図３の構成図において１つ上方向に切り替える切り替え指示（i=i-1）が生成される。
【００５８】
ここでこの切り替え指示は、既に上端が選択されているときには下端に切り替える切り替え指示（if(i<=0)i=n）が生成される。
【００５９】
また、リモートコントローラ３０の下方向ボタン３０２が押下されると、この下方向ボタン３０２が押下されたことを示す下方向ボタン押下コマンドが発信され、リモートコントローラ受光部１１を介してシーク制御部１２３で取得される。
【００６０】
シーク制御部１２３では、下方向ボタン押下コマンドが受信されると、現在選択しているインデックス情報種別を、図３の構成図において１つ下方向に切り替える切り替え指示（i=i+1）が生成される。
【００６１】
ここでこの切り替え指示は、既に下端が選択されているときには下端に切り替える切り替え指示（if(i>=n)i=0）が生成される。
【００６２】
次に、シーク制御部１２３で生成された切り替え指示がシーク制御部１２３からＧＵＩ生成部１２２に通知され、ＧＵＩ生成部１２２において新たなインデックス情報種別がインデックス種別選択部２３０に表示されたインデックス操作画面が生成される。
【００６３】
また、インデックス種別選択部２３０の表示が確定されると、インデックス操作画面のシークバー２３１に表示される情報が、インデックス種別選択部２３０の中央に表示されたインデックス情報種別に該当するインデックスに更新される（Ｓ８）。
【００６４】
次に、映像コンテンツデータとユーザの操作により更新されたインデックス操作画面とが表示装置４０に表示されている状態で、ユーザによりリモートコントローラ３０が操作され、インデックス操作画面のシークバー２３１の左矢印２３６または右矢印２３７が操作されることにより再生中の映像コンテンツ内の再生位置をシークするためのシーク指示コマンドが入力されると、このシーク指示コマンドがリモートコントローラ受光部１１で受信され、ＣＰＵのシーク制御部１２３に送出される（Ｓ９の「YES」）。
【００６５】
この左矢印２３６および右矢印２３７の操作は、図６に示すリモートコントローラ３０の十字キーの左方向ボタン３０３および右方向ボタン３０４に割り当てられており、これらのボタンが押下されることにより現在再生位置２３５の表示位置が変更される。
【００６６】
リモートコントローラ３０の左方向ボタン３０３が押下されると、この左方向ボタン３０３が押下されたことを示す左方向ボタン押下コマンドが発信され、リモートコントローラ受光部１１を介してシーク制御部１２３で取得される。
【００６７】
シーク制御部１２３では、左方向ボタン押下コマンドが受信されると、ＧＵＩ生成部１２２で取得されたインデックスに関する情報の中の、現在表示されている複数のインデックス#i-1〜#i-mの中で、現在再生中の時刻情報tよりも小さくこの時刻情報tに最も近いインデックスポジションを有するインデックスであるインデックス#i-jが抽出される。
【００６８】
さらに、このインデックス#i-jのインデックスポジションに対応する映像コンテンツ内の位置をシークするためのシーク指示が生成される。
【００６９】
また、リモートコントローラ３０の右方向ボタン３０４が押下されると、この右方向ボタン３０４が押下されたことを示す右方向ボタン押下コマンドが発信され、リモートコントローラ受光部１１を介してシーク制御部１２３で取得される。
【００７０】
シーク制御部１２３では、右方向ボタン押下コマンドが受信されると、ＧＵＩ生成部１２２で取得されたインデックスに関する情報の中の、現在表示されている複数のインデックスの中で、現在再生中の時刻情報tよりも大きくこの時刻情報tに最も近いインデックスポジションを有するインデックスであるインデックス#i-kが抽出される。
【００７１】
さらに、このインデックス#i-kのインデックスポジションに対応する映像コンテンツ内の位置をシークするためのシーク指示が生成される。
【００７２】
次に、シーク制御部１２３で生成された切り替え指示が再生制御部１２１に送出され、再生対象の映像コンテンツデータ中のこのインデックス#i-jまたはインデックス#i-kのインデックスポジションが光ディスクの映像記録エリア２１１においてシークされて再生制御部１２１において読み出しが開始される。
【００７３】
再生制御部１２１では、読み出された映像コンテンツデータを再生させるためのデコードが行われて表示信号に変換され外部の表示装置４０に表示されることで、ユーザの操作により抽出されたインデックス#i-jまたはインデックス#i-kの位置から再生が開始され、再生位置がスキップされる（Ｓ１０）。
【００７４】
図５においては、このシークバー２３１の左矢印２３６が操作されることにより現在再生位置２３５が最も近い左側のインデックスであるＣＭインデックス２３４−２の終点（OUT点）にスキップされ、また、右矢印２３７が操作されることにより現在再生位置２３５が最も近い右側のインデックスであるＣＭインデックス２３４−３の開始点（IN点）にスキップされる。
【００７５】
上述したインデックス操作画面を表示させる処理、インデックス情報種別を切り替える処理、および再生位置をスキップさせる処理は、映像コンテンツの再生が終了されるまでの間にユーザに操作されることにより、繰り替えし行われる（Ｓ１１）。
【００７６】
以上の第１実施形態によれば、複数種別のインデックスが付与された映像コンテンツにおいて、ＣＭやスポーツのハイライトシーンなど、ユーザにより選択された種別のインデックスのみの情報を表示させることにより、映像コンテンツ内においてスキップさせる再生位置をユーザが容易に特定することができる。
【００７７】
本実施形態においては、インデックス種別選択部２３０で表示されるインデックス情報種別の数が３つの場合について説明したが、これには限定されず、１つか２つ、または４つ以上でもよい。
【００７８】
また、本実施形態においては、インデックスに関する情報および映像ストリームを記録した記録媒体として光ディスクを利用した場合について説明したが、これには限定されず、不揮発性メモリ、ＨＤＤ（Hard Disc Drive）などを利用して構成してもよい。
【００７９】
また、本実施形態の映像コンテンツ再生装置の機能構成をプログラム化してコンピュータに組み込むことにより、当該コンピュータを映像コンテンツ再生装置として機能させる映像コンテンツ再生プログラムを構築することも可能である。
【００８０】
《第２実施形態》
本発明の第２実施形態においては、内蔵するＨＤＤに映像コンテンツを録画する際にこの映像コンテンツに種類別のインデックスを付与して記録し、このインデックスを利用して記録された映像コンテンツの所望のシーンを検索し、再生する映像コンテンツ再生装置を用いた映像コンテンツ再生システムについて説明する。
【００８１】
〈第２実施形態による映像コンテンツ記録再生システムの構成〉
本実施形態による映像コンテンツ記録再生システム２の構成を、図７を参照して説明する。
【００８２】
本実施形態による映像コンテンツ記録再生システム２は、映像コンテンツ再生装置１０−２と、ユーザにより操作されるリモートコントローラ３０と、表示装置４０とを有する。
【００８３】
映像コンテンツ記録再生装置１０−２は、リモートコントローラ受光部１１と、ＣＰＵ１２−２と、出力制御部１３と、チューナ１４と、ＨＤＤ１５とを有する。
【００８４】
ＣＰＵ１２−２は、チューナ１４から取得された放送映像コンテンツまたはＨＤＤ１５に録画された映像コンテンツの再生処理を制御する再生制御部１２１と、ＧＵＩ生成部１２２と、シーク制御部１２３と、録画した映像コンテンツからこの映像コンテンツデータ中の一区間を特定するためのインデックスに関する情報を生成するインデックス情報生成部１２４と、録画指示による録画処理を制御する録画制御部１２５とを有する。
【００８５】
ＨＤＤ１５は映像記録エリア１５１と、この映像ストリームに付与されたインデックスに関する第１実施形態と同様の構成のインデックスに関する情報を記録するインデックス情報記録エリア１５２とを有する。
【００８６】
〈第２実施形態による映像コンテンツ記録再生システムの動作〉
本実施形態による映像コンテンツ記録再生システム２の動作について説明する。
【００８７】
まず、ユーザによりリモートコントローラ３０が操作され、受信中の放送コンテンツの録画を指示する録画指示コマンドが送信されると、アンテナで受信した放送コンテンツがチューナ１４で映像・音声信号として復調され、ＣＰＵ１２−２の録画制御部１２５の制御によりＨＤＤ１５の映像記録エリア１５１に映像コンテンツデータとして録画される。
【００８８】
また、この録画処理が行われる際に、チューナ１４で得られた映像・音声信号はＣＰＵ１２−２のインデックス情報生成部１２４にも出力される。
【００８９】
インデックス情報生成部１２４では、映像・音声信号が取得されるとこの映像・音声信号を解析することによりインデックスに関する情報を生成し、この映像コンテンツを識別する情報とともにＨＤＤ１５のインデックス情報記録エリア１５２に記録する。
【００９０】
このインデックスに関する情報の生成処理には既存の技術が利用され、例えば特開平１０―２２４７２２号公報に記載の音声信号の無音声区間の検出、シーンチェンジ点の検出、および音声多重モードの検出を行うことによりＣＭ区間を検出する技術が利用いられたり、特開２００４−１５７７８６号公報に記載のように、ユーザの操作履歴を蓄積してクラスタリングすることでインデックスを生成する技術が用いられたりすることにより、図２および図３のような構成のインデックスに関する情報が生成される。
【００９１】
この録画処理により、複数の映像コンテンツデータが映像記録エリア１５１に録画され、また、それぞれの映像コンテンツに対応したインデックスに関する情報がインデックス情報記録エリア１５２に記録されたものとする。
【００９２】
映像記録エリア１５１記録された映像コンテンツデータを再生させ、インデックス情報記録エリア１５２に記録されたインデックスに関する情報に基づいて再生中の映像コンテンツデータの再生位置をスキップさせるときの映像コンテンツ記録再生装置１０−２の動作については、第１実施形態において説明した映像コンテンツ再生装置１０−１の動作と同様であるため、詳細な説明は省略する。
【００９３】
以上の第２実施形態によれば、放送された映像コンテンツデータを録画した際も、複数種類のインデックスを付与して記録し、第１実施形態と同様にユーザにより選択された種別のインデックスのみの情報を表示させることにより、映像コンテンツ内においてスキップさせる再生位置をユーザが容易に特定することができる。
【００９４】
また、上記の第２実施形態においては、インデックスに関する情報および録画された映像ストリームを記録する内蔵する記録媒体としてＨＤＤを利用した場合について説明したが、これには限定されず、不揮発性メモリ、ＤＶＤ、ＢＤなどを利用して構成してもよい。
【００９５】
また、本実施形態の映像コンテンツ記録再生装置の機能構成をプログラム化してコンピュータに組み込むことにより、当該コンピュータを映像コンテンツ記録再生装置として機能させる映像コンテンツ記録再生プログラムを構築することも可能である。
【００９６】
《第３実施形態》
本発明の第３実施形態においては、ビデオオンデマンド（ＶＯＤ）配信システムにより映像配信サーバのストレージに録画された映像コンテンツに予め種類別のインデックスが付与された状態で、このインデックスを利用して記録された映像コンテンツの所望のシーンを検索し、再生する映像コンテンツ再生装置を用いた映像コンテンツ再生システムについて説明する。
【００９７】
〈第３実施形態による映像コンテンツ再生システムの構成〉
本実施形態による映像コンテンツ再生システムの構成を、図８を参照して説明する。
【００９８】
本実施形態による映像コンテンツ再生システム３は、映像コンテンツ再生装置１０−３と、この映像コンテンツ再生装置１０−３にネットワーク５０を介して接続される映像配信サーバ６０と、リモートコントローラ３０と、表示装置４０とを有する。
【００９９】
映像コンテンツ再生装置１０−３は、リモートコントローラ受光部１１と、ＣＰＵ１２−３と、出力制御部１３と、ネットワーク５０に接続されるネットワークインタフェース１６と、一時記憶部としてのメモリ１７とを有する。
【０１００】
ＣＰＵ１２−３は、再生制御部１２１と、ＧＵＩ生成部１２２と、シーク制御部１２３とを有する。
【０１０１】
映像配信サーバ６０は、この映像ストリームに付与されたインデックスに関する第１実施形態と同様の構成のインデックスに関する情報を記録するインデックス情報記録エリア６１１と、映像ストリームを記録する映像記録エリア６１２とを有するストレージ６１を備える。
【０１０２】
〈第３実施形態による映像コンテンツ再生システムの動作〉
本実施形態による映像コンテンツ再生システム３の動作について説明する。
【０１０３】
本実施形態においては、予め複数の映像コンテンツデータが映像配信サーバ６０のストレージ６１の映像記録エリア６１２に録画され、また、それぞれの映像コンテンツに対応したインデックスに関する情報がインデックス情報記録エリア６１１に記録されているものとする。
【０１０４】
このようにストレージ６１に映像コンテンツデータおよびインデックスに関する情報が記録されている状態で、記録されたインデックスを利用して録画された映像コンテンツデータを再生するときの動作は、映像コンテンツ再生装置１０−３のＣＰＵ１２−３と映像配信サーバ６０のストレージ６１との間の通信がネットワークインタフェース１６およびネットワーク５０を介して行われることと、ユーザにより再生が指示された映像コンテンツデータはストレージ６１からネットワーク５０を介してメモリ１７にロードされることにより再生制御が行われることの他は第１実施形態と同様であるため詳細な説明は省略する。
【０１０５】
以上の第３実施形態によれば、外部の映像配信サーバに格納された映像コンテンツデータに対しても、第１実施形態と同様にユーザにより選択された種類のインデックスのみの情報を表示させることにより、映像コンテンツ内においてスキップさせる再生位置をユーザが容易に特定することができる。
【０１０６】
また、本実施形態の映像コンテンツ再生装置の機能構成をプログラム化してコンピュータに組み込むことにより、当該コンピュータを映像コンテンツ再生装置として機能させる映像コンテンツ再生プログラムを構築することも可能である。
【０１０７】
また、第１実施形態〜第３実施形態において、インデックス種別選択部２３０に表示させるインデックスの種類は、再生中のコンテンツのＥＰＧ情報に付加されているジャンルやサマリーのキーワードによって限定するようにしてもよい。
【０１０８】
例えば、スポーツ番組の場合はＣＭ区間（CM）、ハイライトシーン（SPORTS）、ユーザによる手動設定された区間（USER）のみが表示され、音楽番組であればＣＭ区間（CM）、演奏区間（MUSIC）、インタビューシーン（TALK）のみが表示されるようにすることも可能である。
【図面の簡単な説明】
【０１０９】
【図１】本発明の第１実施形態による映像コンテンツ再生装置を利用した映像コンテンツ記録再生システムの構成を示すブロック図である。
【図２】本発明の第１実施形態〜第３実施形態による映像コンテンツ再生装置に記録されるインデックスインデックス情報テーブルの構成を示す説明図である。
【図３】本発明の第１実施形態〜第３実施形態による映像コンテンツ再生装置に記録されるインデックス情報マネジャの構成を示す説明図である。
【図４】本発明の第１実施形態〜第３実施形態による映像コンテンツ再生装置の動作を示すフローチャートである。
【図５】本発明の第１実施形態〜第３実施形態による映像コンテンツ再生装置で生成されたインデックス操作画面が表示された状態を示す画面構成図である。
【図６】本発明の第１実施形態〜第３実施形態による映像コンテンツ再生装置に操作指示信号を送信するリモートコントローラを示す外観図である。
【図７】本発明の第２実施形態による映像コンテンツ記録再生装置を利用した映像コンテンツ記録再生装置の構成を示すブロック図である。
【図８】本発明の第３実施形態による映像コンテンツ記録再生装置を利用した映像コンテンツ記録再生装置の構成を示すブロック図である。
【符号の説明】
【０１１０】
１〜３…映像コンテンツ記録再生システム
１０−１、１０−３…映像コンテンツ再生装置
１０−２…映像コンテンツ記録再生装置
１２…ＣＰＵ
３０…リモートコントローラ
４０…表示装置
１２１…再生制御部
１２２…ＧＵＩ生成部
１２３…シーク制御部
【図１】
2008301070.tif 000003
【図２】
2008301070.tif 000004
【図３】
2008301070.tif 000005
【図４】
2008301070.tif 000006
【図５】
2008301070.tif 000007
【図６】
2008301070.tif 000008
【図７】
2008301070.tif 000009
【図８】
2008301070.tif 000010